(57)【要約】【課題】主たる構成部材として建て枠を使用した仮設足場において隣接した建て枠間の全域に手すりを取り付ることが可能な手すりの取り付け具及び手すり機構を提供すること。【解決手段】建て枠を使用する仮設足場に装着される手すりの取り付け具１は第１のフック２と、第１のフック２の基部側に連結金具４を介して回動可能に取り付けられた第２のフック３を有する。第２のフック３にはピン９が突設されている。第１のフック２を柱脚３１に掛止させた状態で水平補強材３３に面して連結金具４を配置させ、第２のフック３を連結金具４を基部として上方から回動させて水平補強材３３に掛止させるようにする。そして水平方向に隣接して装着された前記手すり用取り付け具１のピン９に対して手すり２０を取り付ける。【選択図】      図１０
2007247325.tif 000002
【特許請求の範囲】
【請求項１】
垂直に立設される柱脚と、同柱脚に沿って延出される補強枠材と、同柱脚と補強枠材とを連結する連結枠材とを備え、一対の同柱脚を対向配置させそれぞれの上端を横架材にて連結してなる複数の建て枠と、隣接する同建て枠の横架材間に架設される複数の布枠と、隣接する同建て枠の柱脚間に配置される複数の交叉筋交いとを主要構成部材として構築される仮設足場に装着される手すり用取り付け具であって、
前記手すり用取り付け具は前記柱脚又は補強枠材に掛止される第１のフック部材と、同第１のフック部材の基部側に対して回動可能に連結され、同第１のフック部材を同柱脚又は補強枠材に掛止させた状態で前記連結枠材に面して回動基部が配置され、同連結枠材の上方向から回動されて同連結枠材に掛止される第２のフック部材とを備え、同第２のフック部材には手すりを連結するための連結部が形成されていることを特徴とする手すり用取り付け具。
【請求項２】
前記連結部は前記手すりの端部に形成された透孔に挿通される突起体であり、同突起体には同透孔に挿通された状態で同手すりの脱落を防止するロック機構が併設されていることを特徴とする請求項１に記載の手すり用取り付け具。
【請求項３】
垂直に立設される柱脚と、同柱脚に沿って延出される補強枠材と、同柱脚と補強枠材とを連結する連結枠材とを備え、一対の同柱脚を対向配置させそれぞれの上端を横架材にて連結してなる複数の建て枠と、隣接する同建て枠の横架材間に架設される複数の布枠と、隣接する同建て枠の柱脚間に配置される複数の交叉筋交いとを主要構成部材として構築される仮設足場に装着され、
前記建て枠の前記柱脚又は補強枠材に掛止される第１のフック部材と、同第１のフック部材の基部側に対して回動可能に連結され、同第１のフック部材を同柱脚又は補強枠材に掛止させた状態で前記連結枠材に面して回動基部が配置され、同連結枠材の上方向から回動されて同連結枠材に掛止される第２のフック部材とを備えるとともに、同第２のフック部材に第１の連結部が形成された手すり用取り付け具と、
両端部位置に第２の連結部を有し、同第２の連結部を前記建て枠の水平方向に隣接して装着された前記手すり用取り付け具の２つの前記第１の連結部にそれぞれ連結させるようにした手すりとを備えたことを特徴とする手すり機構。
【請求項４】
前記第１の連結部は前記手すりの端部に形成された第２の連結部としての透孔に挿通される突起体であり、同突起体には同透孔に挿通された状態で同手すりの脱落を防止するロック機構が併設されていることを特徴とする請求項３に記載の手すり機構。
【請求項５】
前記第２の連結部は前記手すりの端部に形成された第１の連結部としての透孔に挿通される突起体であり、同突起体には同透孔に挿通された状態で同手すりの脱落を防止するロック機構が併設されていることを特徴とする請求項３に記載の手すり機構。
【請求項６】
前記第１及び第２の連結部は前記連結枠材の直下に配置されていることを特徴とする請求項３〜５のいずれかに記載の手すり機構。
【発明の詳細な説明】
【技術分野】
【０００１】
本発明は主たる構成部材として建て枠を使用して架設足場において使用する手すりを取り付けるための取り付け具及び手すり機構に関するものである。
【背景技術】
【０００２】
従来から建築物の周囲に組み立てられる仮設足場として主たる構成部材に建て枠を使用した仮設足場がある。
建て枠は柱脚と、柱脚に沿って上方に延出される補強枠材と、同柱脚と補強枠材とを連結する連結枠材とを備えた松葉杖状の脚部を対向配置させて横架材によって連結した鳥居型の枠体であって、仮設足場の構成部材として最も使用される枠部材の一つである。建て枠を使用した仮設足場では隣接する建て枠間に交叉筋交いを配設して全体の強度の向上を図っている（特に横方向からの加重に対抗させるため）。
このような建て枠を使用した従来の仮設足場の一例として特許文献１の図７を示す。
さて、特許文献１の発明はその図７に示すような従来から存する建て枠の交叉筋交いに防護手摺を配置するというものであって、その図１に示すように防護手摺１０を掛止手段３０によって固定するというものである。これは交叉筋交いだけでは構築した仮設足場の側方の隙間が大きすぎるため、安全性を確保するために防護処置を講じたものである。
【特許文献１】特開平９−３０２９１３号公報
【発明の開示】
【発明が解決しようとする課題】
【０００３】
しかし、特許文献１の防護手摺ではいくつか使用上の問題があった。例えば交叉筋交いは隙間がかなり大きいため安全性の向上のため防護手摺を隣接して立設される建て枠の前後方向全域に装着したいという要望があるが、特許文献１の防護手摺は筋交いの間に配置させる構成であるためそれは不可能である。また、防護手摺を複数本取り付けたいとの要望もあるが特許文献１の防護手摺は筋交いの間に配置させる構成であるため交叉筋交いの交叉位置付近には取り付けることはできない。例え取り付けてもごく短尺の防護手摺を取り付けることとなり防護手摺としてあまり意味のないものとなってしまう。また、いくつかの位置に取り付けるとすると防護手摺の長さの異なるものを何種類も用意しなければならず、防護手摺の長さを規格化することができず、コストが上昇してしまうこととなる。更に、交叉筋交いは建て枠に張設されているため、振動や風の影響でかなり揺動する部材である。そのためこの交叉筋交いに設けられた防護手摺も一緒に揺動してしまうため、より安定した防護手摺が求められていた。
本発明は、このような従来の技術に存在する問題点に着目してなされたものである。その目的とするところは、主たる構成部材として建て枠を使用した仮設足場において隣接した建て枠間の全域に手すりを取り付ることが可能な手すりの取り付け具及び手すり機構を提供することにある。
【課題を解決するための手段】
【０００４】
上記の目的を達成するために請求項１に記載の発明では、垂直に立設される柱脚と、同柱脚に沿って延出される補強枠材と、同柱脚と補強枠材とを連結する連結枠材とを備え、一対の同柱脚を対向配置させそれぞれの上端を横架材にて連結してなる複数の建て枠と、隣接する同建て枠の横架材間に架設される複数の布枠と、隣接する同建て枠の柱脚間に配置される複数の交叉筋交いとを主要構成部材として構築される仮設足場に装着される手すり用取り付け具であって、
前記手すり用取り付け具は前記柱脚又は補強枠材に掛止される第１のフック部材と、同第１のフック部材の基部側に対して回動可能に連結され、同第１のフック部材を同柱脚又は補強枠材に掛止させた状態で前記連結枠材に面して回動基部が配置され、同連結枠材の上方向から回動されて同連結枠材に掛止される第２のフック部材とを備え、同第２のフック部材には手すりを連結するための連結部が形成されていることをその要旨とする。
また、請求項２の発明では請求項１に記載の発明の構成に加え、前記連結部は前記手すりの端部に形成された透孔に挿通される突起体であり、同突起体には同透孔に挿通された状態で同手すりの脱落を防止するロック機構が併設されていることをその要旨とする。
【０００５】
また、請求項３の発明では、垂直に立設される柱脚と、同柱脚に沿って延出される補強枠材と、同柱脚と補強枠材とを連結する連結枠材とを備え、一対の同柱脚を対向配置させそれぞれの上端を横架材にて連結してなる複数の建て枠と、隣接する同建て枠の横架材間に架設される複数の布枠と、隣接する同建て枠の柱脚間に配置される複数の交叉筋交いとを主要構成部材として構築される仮設足場に装着され、前記建て枠の前記柱脚又は補強枠材に掛止される第１のフック部材と、同第１のフック部材の基部側に対して回動可能に連結され、同第１のフック部材を同柱脚又は補強枠材に掛止させた状態で前記連結枠材に面して回動基部が配置され、同連結枠材の上方向から回動されて同連結枠材に掛止される第２のフック部材とを備えるとともに、同第２のフック部材に第１の連結部が形成された手すり用取り付け具と、両端部位置に第２の連結部を有し、同第２の連結部を前記建て枠の水平方向に隣接して装着された前記手すり用取り付け具の２つの前記第１の連結部にそれぞれ連結させるようにした手すりとを備えたことをその要旨とする。
また、請求項４の発明では請求項３に記載の発明の構成に加え、前記第１の連結部は前記手すりの端部に形成された第２の連結部としての透孔に挿通される突起体であり、同突起体には同透孔に挿通された状態で同手すりの脱落を防止するロック機構が併設されていることをその要旨とする。
また、請求項５の発明では請求項３に記載の発明の構成に加え、前記第２の連結部は前記手すりの端部に形成された第１の連結部としての透孔に挿通される突起体であり、同突起体には同透孔に挿通された状態で同手すりの脱落を防止するロック機構が併設されていることをその要旨とする。
また、請求項６の発明では請求項３〜５のいずれかに記載の発明の構成に加え、前記第１及び第２の連結部は前記連結枠材の直下に配置されていることをその要旨とする。
【０００６】
このような構成では、手すり用取り付け具の第１のフック部材を建て枠の柱脚又は補強枠材に掛止させることによって同取り付け具の側方への移動、つまり柱脚又は補強枠材から離間する方向への移動が不能となる。このように第１のフック部材を建て枠の柱脚又は補強枠材に掛止させた状態で第２のフック部材の回動基部は連結枠材に面することとなる。この状態で、第２のフック部材を上方から回動させて連結枠材に掛止させることによって同取り付け具の柱脚又は補強枠材の軸方向への移動も不能となる。つまり同取り付け具の水平方向と垂直方向の移動が２つのフック部材によって規制されることとなる。架設足場の各建て枠にこのように取り付け具を装着していき、水平方向に隣接した建て枠の取り付け具の連結部（第１の連結部）間に手すりを掛け渡すようにする。手すりの両端部位置には第２の連結部が形成されているため、手すりはこの両端部位置の第２の連結部をそれぞれ隣接した取り付け具の連結部（第１の連結部）に連結するようにする。
ここに、第１及び第２の連結部はちょうど連結枠材の直下に配置されていることが好ましい。連結枠材がバリアとなって例えば上方から落下した部品が連結部位に衝突することが防止できるので、万一にもそのような外的要因で連結状態が解除されることなない。
また、第１及び第２の連結部の形状は特に限定されることはないが、第１の連結部を突起体とし、第２の連結部はその突起体が挿通される透孔であることが作業効率の点から好ましい。この突起体と透孔の関係は逆であってもよい。
更に、突起体には挿通された状態で同手すりの脱落を防止するロック機構が併設されていることが好ましい。
【発明の効果】
【０００７】
上記各請求項の発明では、手すり用取り付け具をその第１及び第２の２つのフック部材によって剛性の高い建て枠の柱脚又は補強枠材と連結枠材との交差位置に簡単に配置することができ、隣接する建て枠間全域に渡ってしっかりとした手すりを配置することが可能となる。また、補強枠材が上下方向に複数本数配設されているタイプの建て枠に使用すれば複数の手すりを配置することが可能となるため、架設足場の安全性の向上を更に図ることができる。そして、その場合には同一規格の手すりを使用することが可能であるため、コストアップが防止される。
【発明を実施するための最良の形態】
【０００８】
以下、本発明の手すり機構の一実施の形態について図面に基づいて説明する。
図１〜図５に示すように、手すり機構の一部をなす手すり用取り付け具（以下、単に取り付け具とする）１は第１のフック２、第２のフック３及び連結金具４より構成されている。第１のフック２は横断面円形形状の鋼材を略Ｊ字状に湾曲させて構成したものである。第２のフック３は鋳造によって成形された本体５を有している。本体５は膨出した基部プレート６と基部プレート６から一方向に延出された平面略Ｊ字形状のフック部７を備えている。図３に示すように、基部プレート６には軸受け孔８が形成され、軸受け孔８の隣接位置には突起体としてのピン９が本体５前方に向かって突出され、同ピン９と同位置において背面側には小突起９ａが突設されている。ピン９及び小突起９ａは本体５に対して直交して配設されている。図４（ａ）及び（ｂ）に示すように、ピン９には割り溝１０と割り溝１０の奥位置に形成されたバネ収容部１１が形成されている。割り溝１０内にはラッチ１２が固定ピン１３によって回動可能に支持されている。ラッチ１２には鋭角に形成された係合部１２ａと係合部１２ａ前方のテーパ部１２ｂとが形成されている。ラッチ１２はコイルバネ１４によって常時割り溝１０から係合部１２ａがピン９の側方に突出するように付勢されている。
連結金具４はプレス加工で得られた鋼板をさらに折り曲げ加工したブックエンド状の外形とされ、対向配置された一対の軸受けプレート１５と両軸受けプレート１５を連結する背面プレート１６とから構成されている。両軸受けプレート１５には軸受け孔１７が形成されている。
【０００９】
このような構成において取り付け具１は図２（ａ）及び（ｂ）に示すように、連結金具４の両軸受けプレート１５間に第２のフック３の基部プレート６を配置し、同基部プレート６に形成された軸受け孔８を軸受けプレート１５の軸受け孔１７と一致させた状態で第１のフック２の基部をこれら３つの軸受け孔８，１７に挿通させ、かしめて固定する。この際に第１のフック２は連結金具４に対して図２（ａ）のような配置状態、つまり第１のフック２の開口部２ａが略左方を向き連結金具４の背面プレート１６が奥側に配置されるような状態で図上下方側の軸受けプレート１５側方から取り付けるようにする。
図６に示すように、手すり機構の一部をなす合金製の手すり２０は円筒形状の本体２１と本体２１の両端に接続された取り付けプレート２２から構成されている。取り付けプレート２２の先端寄りには取り付け孔２３が形成されている。
【００１０】
次に、このような構成の手すり機構を取り付けて使用する架設足場２５について簡単に説明する。
図１１に示すように、架設足場２５は建て枠２６と布枠２７と交叉筋交い２８を基本的な構成部材として構築されている。建て枠２６は左右一対のパイプ材からなる垂直に立設される柱脚３０を備えている。両柱脚３０は上端位置でパイプ材からなる水平に配設される横架材３１によって連結され鳥居状の外観を呈している。柱脚３０にはパイプ材からなる補強枠材３２が併設されている。補強枠材３２は柱脚３０よりも若干小径のパイプ材から構成され下端寄りが湾曲されて湾曲部３２ａとされている。補強枠材３２は上端側で横架材３１の側部下面に連結され下端側で柱脚３０の側部に連結されている。補強枠材３２と柱脚３０との間にはパイプ材からなる水平補強材３３が配設されている。補強枠材３２の湾曲部３２ａと水平補強材３３は連結枠材に相当する。
所定間隔を空けて配置された２つの建て枠２６の横架材３１間には布枠２７が架設されている。２つの建て枠２６の側面開口部、前後の建て枠２６の柱脚３０間には交叉筋交い２８が配設されている。架設足場２５はこのような立体構造を１単位として建て枠２６、布枠２７及び交叉筋交い２８を垂直及び水平方向に継ぎ足しながら構築されていく。
【００１１】
次に上記のように構築される架設足場２５への手すり機構の取り付け作業について説明する。本実施の形態では２つの取り付け具１をそれぞれ柱脚３０と水平補強材３３及び湾曲部３２ａとの交差位置に装着する場合について説明する。
まず、図７に示すように、取り付け具１を第１のフック２が略水平となるように保持し、第２のフック３は連結金具４を基部として自重で下垂された状態とし、建て枠２６の外方から柱脚３０に接近させていく。そして、図８に示すように、第１のフック２を柱脚３０の掛止させる。この時、第２のフック３の回動軌跡を確保するために第１のフック２は取り付け具１の配置位置となる水平補強材３３及び湾曲部３２ａより上方位置に掛止させるほうが好ましい。
第１のフック２を柱脚３０に掛止させると第２のフック３は柱脚３０よりも内側位置に配置されるここで、第２のフック３を図８に示すように一旦上方側に回動させる。つまり、第２のフック３の開口部７ａを下方に向けるようにする。そして、取り付け具１を柱脚３０に沿って下方にスライド移動させることによって第２のフック３は水平補強材３３及び湾曲部３２ａにそれぞれ掛止されることとなる（図９及び図１２の状態）。この時、第２のフック３の延出方向と水平補強材３３及び湾曲部３２ａの延出方向とは直交する。
【００１２】
更にこの時、図１２に示すように、第２のフック３に固着されたピン９は連結枠材３（及び湾曲部３２ａ）の真下に配置されることとなり、また第２のフック３の本体５も大部分は連結枠材３（及び湾曲部３２ａ）の下方位置に配置されることとなる。
また、第１のフック２は柱脚３０の架設足場２５の外方に面した全周囲の１／２の部分に掛止される。ここに、連結枠材３に掛止されている第２のフック３と柱脚３０との間隔は比較的広い。これは第１のフック２の柱脚３０への掛止作業のしやすさを考慮したものである。しかし、第２のフック３と柱脚３０との間隔が広いと取り付け具１の左右方向への移動をある程度許容することとなるので、がたつきが大きくなってしまう。そのため、本実施の形態では小突起９ａを本体５の背面側に突出させるようにして取り付け具１の移動範囲を減らし極力がたつきをなくすようにしている。
【００１３】
次に、このように装着された取り付け具１に対して手すり２０を取り付ける。手すり２０の両端の取り付けプレート２２に形成された取り付け孔２３の間隔は、ちょうど隣接して配置される一対の取り付け具１のピン９の間隔と一致している。ピン９を取り付け孔２３に挿通させる際に挿通動作とともに取り付けプレート２２によってテーパ部１２ｂを押圧されたラッチ１２は一旦ピン９内に待避し、取り付けプレート２２の通過を許容する。取り付けプレート２２の通過に伴ってラッチ１２は原位置に復帰して取り付けプレート２２はロック状態とされる。両側の取り付けプレート２２をこのようにピン９にロックさせることで当該手すり２０の取り付けが完了する。各ピン９には架設足場２５の末端に配置された取り付け具１を除き前後方向から２枚の取り付けプレート２２が重複状に取り付けられることとなる。
【００１４】
上記のように構成することにより本実施の形態の手すり機構は次のような効果が奏される。
（１）第１及び第２のフック２，３を使用することによって固定しにくい連結枠材３及び湾曲部３２ａに取り付け具１を装着することができ、建て枠の前後方向全域に手すり２０を取り付けが可能となる。これによっって前後方向に立設された建て枠２６間の全域に渡って手すり２０を配置することが可能となる。また、剛性の高い建て枠２６間に手すり２０を固定することとなるため手すり２０自体もしっかりと保持され安心感がより高くなる。
（２）柱脚３０と交差する梁部材（連結枠材３及び湾曲部３２ａ）があればその交差位置に取り付け具１を装着することで何本でも手すり２０を取り付けることができるため、安全性が向上することとなる。
（３）隣接する建て枠の前後方向の間隔は等間隔であるため、手すり２０の長さも一種類で足ることとなり、手すり２０の統一が図られるためコストの削減となる。
【００１５】
尚、この発明は、次のように変更して具体化することも可能である。
・他の実施の形態の突起体として例えば図１３（ａ）〜（ｃ）に示すようなピン３５を使用してもよい。ピン３５の割り溝３６内にはロック片３８が固定ピン３７によって吊支されている。ロック片３８の固定位置は重心から偏心した位置とされているため図１３（ａ）及び（ｃ）のようにピン３５を水平配置した際にはピン３５に対してロック片３８は常時に自重でＴ字状に起立することとなっている。
このようなピン３５を使用する場合には手すり２０の取り付けプレート２２の取り付け孔２３にピン３５を挿通させるために一旦図１３（ｂ）の状態に保持し通過を許容させるようにする。ピン３５が取り付け孔２３を通過すればロック片３８が起立してロック状態とされる。
・架設足場２５を構成する部材は一例であって、他の形状の建て枠２６、布枠２７及び交叉筋交い２８を排除するものではない。例えば上記水平補強材３３は２本以上配設されていても構わない。また、これらの主要部材以外の部材（例えば階段等）を適宜組み合わせた架設足場に応用することは自由である。
・上記実施の形態では連結金具４が第２のフック３の回動基部となっていたが、回動基部はこのような別体の連結具でなくともよい。また、連結金具４は上記の形状に限定されるものではない。
・上記取り付け具１の装着方法は取り付け具１の構造に基づいた最も一般的な一例を示したものであり、他の手順での装着ももちろん構わない。
・連結部としてのピン９，３５等の配置位置は上記に限定されるものではない。
・ピン９，３５と取り付け孔２３の関係は逆でもよい。
・上記取り付け具１の第１のフック２は柱脚３０に掛止させるようにしていたが補強枠材３２に掛止させるような使用であっても構わない。
・上記実施の形態では第１のフック２は鋳造品であったが、プレス成形で製造するようにしてもよい。その場合には上記ピン９及び小突起９ａは一体化した棒状体として第２のフック２（基部プレート６）を貫通させるように固着してもよい。
・その他、本発明の趣旨を逸脱しない態様で実施することは自由である。
【図面の簡単な説明】
【００１６】
【図１】本発明の実施の形態の取り付け具において第２のフックの回動状態を仮想線で説明した平面図。
【図２】同じ取り付け具における（ａ）は分解正面図、（ｂ）は正面図。
【図３】同じ取り付け具における第２のフックの平面図。
【図４】（ａ）はピンの縦断面図、（ｂ）は横断面図。
【図５】連結金具の斜視図。
【図６】手すりの斜視図。
【図７】建て枠における柱脚と連結枠材及び湾曲部との交差位置に取り付け具を装着する直前の説明図。
【図８】建て枠における柱脚と連結枠材及び湾曲部との交差位置に取り付け具を装着する途中の説明図。
【図９】建て枠における柱脚と連結枠材及び湾曲部との交差位置に取り付け具を装着した状態の説明図。
【図１０】建て枠における柱脚と連結枠材及び湾曲部との交差位置に取り付け具を装着し、更に手すりを取り付けた状態の説明図。
【図１１】本発明の実施の形態の手すり機構を取り付けた架設足場の斜視図。
【図１２】建て枠における柱脚と連結枠材及び湾曲部との交差位置に取り付け具を装着した状態を平面視して説明する説明図。
【図１３】他の実施の形態のピンの説明図であって（ａ）及び（ｂ）は縦断面図、（ｃ）は正面図。
【符号の説明】
【００１７】
１…手すり用取り付け具、２…第１のフック部材としての第１のフック、３…第２のフック部材としての第２のフック、４…回動基部としての連結金具、９…第１の連結部としてのピン、２０…手すり、２３…第２の連結部として取り付け孔、２６…建て枠、２７…布枠、２８…交叉筋交い、３０…柱脚、３１…横架材、３２…補強枠材、３２ａ…連結枠材としての湾曲部、３３…連結枠材としての水平補強材。
【図１】
2007247325.tif 000003
【図２】
2007247325.tif 000004
【図３】
2007247325.tif 000005
【図４】
2007247325.tif 000006
【図５】
2007247325.tif 000007
【図６】
2007247325.tif 000008
【図７】
2007247325.tif 000009
【図８】
2007247325.tif 000010
【図９】
2007247325.tif 000011
【図１０】
2007247325.tif 000012
【図１１】
2007247325.tif 000013
【図１２】
2007247325.tif 000014
【図１３】
2007247325.tif 000015